(57)【要約】【課題】操作部材の強度の向上が図れると共に、スムーズな制動操作が行えるロータ制動装置を備えた魚釣用スピニングリールを提供する。【解決手段】本発明の魚釣用スピニングリールは、リール本体２に設けられ、かつロータ３の少なくとも逆回転時にロータ３と連動回転する回転体２１と、リール本体２に対して移動可能に設けられた操作部材２２とを具備し、操作部材２２の移動操作によって回転体２１に制動力を付与するロータ制動装置２０を有する。そして、操作部材２２は、リール本体２の脚部２ｃの前面側領域を覆うカバー部２２ｃを有することを特徴とする。【選択図】  図３
2006314241.tif 000002
【特許請求の範囲】
【請求項１】
リール本体に設けられ、かつロータの少なくとも逆回転時にロータと連動回転する回転体と、前記リール本体に対して移動可能に設けられた操作部材とを具備し、前記操作部材の移動操作によって前記回転体に制動力を付与するロータ制動装置を有する魚釣用スピニングリールにおいて、
前記操作部材は、前記リール本体の脚部の前面側領域を覆うカバー部を有することを特徴とする魚釣用スピニングリール。
【請求項２】
前記カバー部には、孔または凹溝が形成されていることを特徴とする請求項１に記載の魚釣用スピニングリール。
【発明の詳細な説明】
【技術分野】
【０００１】
本発明は、ロータの逆回転時に連動回転する回転体に、操作部材の操作で制動力を付与するロータ制動装置を備えた魚釣用スピニングリールに関する。
【背景技術】
【０００２】
上記したロータ制動装置を備えた魚釣用スピニングリールは、ロータを逆回転可能状態にして釣糸を放出できるようにし、魚が掛かった際に魚を走らせながらロータに制動力を付与できるよう構成されている。この種のロータ制動装置の制動力調整は、例えば、特許文献１や特許文献２に開示されているように、リール本体の脚部を挟持するように回動可能に支持され、一端側に操作部、他端側に制動部を有する操作部材を牽引操作することにより、ロータと連動回転する回転体に制動力を付与することで成される。すなわち、操作部材の一端側を牽引操作することで、操作部材の他端側に設けた制動部材（ブレーキシュー）を、ロータの逆回転時に一体回転する回転体に圧接させて、ロータの逆回転に適宜制動力が付与されるようになっている。この場合、制動力は、操作部材の牽引力を変えることで、回転体に対する圧接力が変えられ調整される。
【特許文献１】実開昭５０−１３１２９３号
【特許文献２】実開昭６０−１０６４６８号
【発明の開示】
【発明が解決しようとする課題】
【０００３】
上記した公知技術における操作部材は、リール本体脚部の側面を挟持するように回動可能に支持されているため、操作部材の脚部側面に対する摺動部が強度的に弱くなり、折れ等、破損し易いという問題がある。また、操作部材は、前面側が開口した状態にあるため、操作部材の摺動基部に砂利や粉塵、海水等の異物が付着したり侵入し易く、スムーズな制動力の付与操作に支障を来たすことがある。更に、操作部材は、外観面においてデザインの向上を図る余地があると考えられる。
【０００４】
本発明は、上記した問題に着目してなされたものであり、操作部材の強度の向上が図れると共に、スムーズな制動操作が行えるロータ制動装置を備えた魚釣用スピニングリールを提供することを目的とする。
【課題を解決するための手段】
【０００５】
上記した目的を達成するために、本発明に係る魚釣用スピニングリールは、リール本体に設けられ、かつロータの少なくとも逆回転時にロータと連動回転する回転体と、前記リール本体に対して移動可能に設けられた操作部材とを具備し、前記操作部材の移動操作によって前記回転体に制動力を付与するロータ制動装置を有しており、前記操作部材は、前記リール本体の脚部の前面側領域を覆うカバー部を有することを特徴とする。
【０００６】
上記した構成のロータ制動装置における操作部材は、リール本体の脚部の前面側領域を覆うカバー部を有しており、脚部を挟持するような開口が形成されていないことから、操作部材の捩り強度の向上が図れる。また、カバー部が脚部の前面側領域を覆っていることから、摺動部分に砂利や粉塵、海水等の異物が浸入することが防止され、スムーズな制動操作が行えるようになる。
【０００７】
なお、カバー部によって脚部を覆う領域は、脚部の断面形状に応じて適宜変形することが可能である。例えば、脚部の断面形状が略矩形形状の場合、その前面側領域には、前面のみならず、両側面（側面全て、或いは側面の一部）が含まれる。或いは、脚部の断面形状が略円形の場合、その前面側領域は、脚部の内、釣糸繰出し方向側に露出する表面部であれば良い。
【発明の効果】
【０００８】
本発明によれば、操作部材の強度の向上が図れると共に、スムーズな制動操作が行えるロータ制動装置を備えた魚釣用スピニングリールが得られる。
【発明を実施するための最良の形態】
【０００９】
以下、本発明に係る魚釣用スピニングリールについて、添付図面を参照しながら具体的に説明する。  
図１から図５は、本発明に係る魚釣用スピニングリールの一実施形態を示す図であり、図１は、全体構成を示す側面図、図２は、その正面図、図３は、その内部構成を示す図、図４は、脚部の部分を拡大して示す図、そして、図５は、図４におけるＡ−Ａ線に沿った断面図である。
【００１０】
魚釣用スピニングリール１は、後述する各種の駆動部材を収容するリールボディ２ａ、及びリールボディ２ａを覆うボディカバー２ｂを備えたリール本体２を備えており、このリール本体２には、前記リールボディ２ａの基部（駆動部材収容部）から上方に向けて突出するアーム状の脚部２ｃが一体形成されている。この脚部２ｃの端部には、図示しない釣竿に取り付けられる竿取付部２ｄが一体的に形成されている。
【００１１】
前記リール本体２の前方には、ロータ３が回転可能に設けられており、このロータ３には、釣糸巻取り位置と釣糸放出位置との間で回動するベール４を支持した一対のロータアーム３ａが設けられている。なお、一方のロータアームには、釣糸を案内する釣糸案内装置（ラインローラ）５が設けられている。また、各ロータアーム３ａの間には、釣糸が巻回されるスプール７が往復動可能に支持されている。
【００１２】
前記リールボディ２ａの内部には、ハンドル軸８が回転可能に支持されており、このハンドル軸８の突出端部には、回転操作されるハンドル９が装着されている。また、ハンドル軸８には、リールボディ２ａの内部においてドライブギヤ１０が取り付けられており、このドライブギヤ１０には、ハンドル軸８に対して直交する方向に延在し且つ軸受を介して回転可能に支持された中空状のピニオンギヤ１３（ピニオンを具備する軸）が噛合している。そして、このピニオンギヤ１３の先端部には、前記ロータ３が一体的に取り付けられている。
【００１３】
前記ピニオンギヤ１３の内部には、ハンドル軸８と直交する方向に摺動可能に支持されたスプール軸１５が挿通されており、スプール軸１５の先端部には前記スプール７が着脱可能に取り付けられている。また、リールボディ２ａの内部には、公知のオシレーティング機構が配設されており、ドライブギヤ１０がハンドル９の回転操作によって回転された際、スプール軸１５を軸方向に沿って往復駆動するようになっている。
【００１４】
上記した構成により、ハンドル９を回転操作すると、オシレーティング機構を介してスプール軸１５に取り付けられたスプール７が前後に往復動すると共に、ドライブギヤ１０およびピニオンギヤ１３を介してロータ３が回転駆動され、スプール７には、釣糸案内装置５を介して釣糸が均等に巻回される。
【００１５】
前記リール本体２には、釣糸繰り出し時にロータ３が逆回転した際、その逆回転に制動力を付与するロータ制動装置２０が設けられている。
【００１６】
本実施形態のロータ制動装置２０は、ロータ３が逆回転した際に、ロータと共に連動回転する回転体（制動板）２１と、この回転体に対して制動力を与える操作部材２２とを備えている。前記回転体２１は、前記ピニオンギヤ１３に一方向クラッチ３０を介して設けられたブレーキロータ３１の表面に固定されており、このブレーキロータ３１は、一方向クラッチ３０によって、ピニオンギヤ１３が逆回転したとき（ロータ３が釣糸繰り出し方向に回転したとき）のみ、一体的に回転すると共に、ピニオンギヤ１３が釣糸巻取り方向に回転したときは、回転しないよう構成されている。すなわち、回転体２１は、ロータ３が釣糸繰り出し方向に回転したときのみ一体回転し、ロータ３が釣糸巻取り方向に回転したときには、一体回転しないよう構成されている。
【００１７】
前記操作部材２２は、リール本体２から釣糸繰り出し方向側に向けて突出するレバー形状を有しており、前記脚部２ｃの基端側に支軸２３を介して移動可能（回動可能）に支持されている。この操作部材２２は、その一端部に指が引掛けられる操作部２２ａが形成されると共に、その他端部には、止めビス２４によって押圧プレート２５が取り付けられている。
【００１８】
前記押圧プレート２５は、操作部材２２を牽引操作した際、制動部材５０を軸方向（前記回転体２１側）に向けて押圧するようになっており、この制動部材５０は、回転体２１の周縁部に押圧力を付与するようになっている。また、リール本体２のフレームには、回転体２１の外周部を跨ぐように形成された圧接片５１が取り付けられており、前記制動部材５０が、操作部材２２の牽引操作によって軸方向に向けて押圧された際、回転体２１の周縁部を挟着して、ブレーキロータ３１（ロータ３）の逆回転に制動力を付与するようになっている。
【００１９】
なお、前記ブレーキロータ３１と共に一体回転する回転体２１には、その径方向内側において、周方向に一定の間隔をおいて係止部２１ａが形成されており、操作部材２２を押し下げ操作することで、係止爪４５がカム部材４６を介してスプール側に進入して係止部２１ａと係合、保持されるようになっている。この係止爪４５が進入することで、ブレーキロータ３１の回転が規制され、前記一方向クラッチ３０を介して、ロータ３は、常時、逆回転が防止される状態となる。なお、このとき、操作部材２２は、カム部材４６に係合する振り分け保持バネ４７によってその状態が保持されている（ロータの逆回転防止状態が維持されている）。
【００２０】
前記操作部材２２は、脚部２ｃの基端部から略中間部に沿うように形成されると共に、脚部２ｃの略中間部において、前方（釣糸繰り出し方向）に向けて突出するように形成されている。この場合、操作部材２２には、脚部２ｃに沿った領域に、脚部２ｃの前面側領域を覆うようにカバー部２２ｃが形成されている。
【００２１】
本実施形態では、脚部２ｃの断面形状が、図５に示すように、略矩形形状を有していることから、前記カバー部２２ｃは、この脚部２ｃの前面（釣糸繰り出し方向側の面）２ｆ及び、その両側面２ｓを覆うように、断面略コの字型形状を有している。なお、本実施形態のカバー部２２ｃは、両側面２ｓの全ての面を覆うのではなく、側面２ｓの前方側を覆うように構成されている。このため、脚部２ｃの両側面には、カバー部２２ｃの肉厚に対応する段部２ｅが形成されており、カバー部２２ｃと脚部２ｃの表面との間が略面一となって段差が生じないように構成されている。
【００２２】
上記した構成の操作部材２２によれば、その中間領域において、リール本体の脚部２ｃの前面側領域を覆うカバー部２２ｃを有していることから、上述した公知技術のような形状の操作部材と比較して捩り強度の向上が図れ、破損、折損等が生じにくくなる。また、上記した構成の操作部材２２では、カバー部２２ｃが脚部２ｃの前面２ｆから側面２ｓに亘る領域を覆っていることから、操作部材２２と脚部２ｃとの間の摺動部分に砂利や粉塵、海水等の異物が浸入することが防止され、スムーズな制動操作が行えるようになる。すなわち、専らリール本体の前方側から侵入し易い異物等を効果的に防止することができるため、摺動部分に異物等が付着することが抑制され、スムーズな制動操作が得られるようになる。
【００２３】
更に、上記した構成では、操作部材２２の略全体を外部から視認することが可能となるため、従来の操作部材とは異なった外観形状が得られるようになり、デザインの向上が図れるようになる。
【００２４】
なお、上記した構成において、操作部材２２のカバー部２２ｃに、図６に示すように、凹部（凹溝）６０（図７（ａ）参照）や、孔（貫通孔）７０（図７（ｂ）参照）を形成しておくことが好ましい。すなわち、図に示すように、脚部２ｃの延出方向に沿って規則的に略楕円形状の凹部や孔を形成することによって、操作部材の軽量化が図れると共に、従来には無い外観とすることができ、よりデザインを向上することができる。もちろん、このような凹部６０や孔７０の形状や配置態様、形成個数については、適宜変形することが可能である。
【００２５】
上記した構成の魚釣用スピニングリールについては、脚部や操作部材の形状、操作部材の支持位置及び制動装置等の構成部材に関し、適宜変形することが可能である。例えば、脚部２ｃの断面形状については、図に示した略矩形形状以外にも、円形状、楕円形状、三角形状にする等、適宜変形することが可能である。また、これに伴い、操作部材２２のカバー部２２ｃの断面形状についても、Ｖ字状、Ｕ字状、半円状にする等、適宜変形することが可能である。この場合、カバー部２２ｃが覆う領域となる脚部の前面側領域は、釣糸繰出し方向側に露出する表面部の全て、或いはその一部であれば良い。
【００２６】
また、上記した制動装置の構成部材、制動方法等については、適宜変形することが可能である。例えば、上記した制動力が付与される回転体２１については、ロータ３と共に一体回転するものであれば良く、例えば、ロータの後端面や内周面にする等、ロータそのものであっても良い。すなわち、操作部材２２の移動操作によって、直接、ロータの回転に制動を加えるような構成であっても良い。また、本実施形態では、ロータ３と共に回転する回転体２１は、ロータ３の逆回転時のみに一体回転するように構成されていたが、正転時においても一体回転するような構成であっても良い。
【００２７】
図８は、図１に示した魚釣用スピニングリールの内、ハンドル部分の折り畳み構造を示す図であり、（ａ）は、ハンドルの基端部を示す図、（ｂ）は、図（ａ）のＣ−Ｃ線に沿った断面図、（ｃ）は、第１の変形例を示す断面図、（ｄ）は、第２の変形例を示す断面図である。
【００２８】
通常、ハンドル９は、非使用時において邪魔にならないよう、図に示すスタンド９ａに対して、矢印方向に折り畳み可能に構成されている。この場合、搬送時に衝撃を受けるとハンドル９が折り畳む方向に力が加わってしまい、ハンドルアーム９ｂの基端部（スタンド９ａの縁部９ｃと当て付く位置９ｄ）や、スタンド９ａの縁部９ｃに打痕傷が付いてしまうことがある。
【００２９】
このため、ハンドルアーム９ｂの基部とスタンド９ａとの間に、傷防止部材８０を介在しておくことが好ましい。この傷防止部材８０は、容易に着脱できるように軟質な部材、例えばナイロン、ポリエステルフィルム、ＰＯＭ、ＡＢＳ、ＮＢＲ等で形成することが好ましく、図に示す構成の傷防止部材８０では、ハンドル軸８が嵌り込む円形開口８１、及び円形開口８１から径方向に伸びる直線状の切欠き８２が形成されている。
【００３０】
このような構成により、ハンドルアーム９ｂを折り畳んだ状態で切欠き８２をハンドル軸８に押し付けることで、図８（ｂ）に示すように、容易に装着することが可能となる。或いは、図８（ｃ）に示すように、所定の角度に亘って切欠き８２ａを形成しておくことで、着脱操作が、より容易に行えるようになる。更には、図８（ｄ）に示すように、傷防止部材８０の外周縁に、折り畳み時にハンドルアーム９ｂが係合可能となるような凹部８３を形成しておくことで、ハンドルアームを安定して保持しておくことも可能となる。
【図面の簡単な説明】
【００３１】
【図１】本発明に係る魚釣用スピニングリールの一実施形態を示す側面図。
【図２】図１に示す魚釣用スピニングリールの正面図。
【図３】図１に示す魚釣用スピニングリールの内部構成を示す図。
【図４】脚部の部分を拡大して示す図。
【図５】図４におけるＡ−Ａ線に沿った断面図。
【図６】操作部材の変形例を示す図。
【図７】（ａ）は、図６のＢ−Ｂ線に沿った断面図、（ｂ）は、変形例を示す断面図。
【図８】（ａ）は、図２に示した魚釣用スピニングリールにおけるハンドルの基端部を示す図、（ｂ）は、図（ａ）のＣ−Ｃ線に沿った断面図、（ｃ）は、第１の変形例を示す断面図、（ｄ）は、第２の変形例を示す断面図。
【符号の説明】
【００３２】
１  魚釣用スピニングリール
２  リール本体
２ｃ  脚部
３  ロータ
９  ハンドル
２０  ロータ制動装置
２１  回転体
２２  操作部材
２２ｃ  カバー部
６０  凹溝
７０  孔
【図１】
2006314241.tif 000003
【図２】
2006314241.tif 000004
【図３】
2006314241.tif 000005
【図４】
2006314241.tif 000006
【図５】
2006314241.tif 000007
【図６】
2006314241.tif 000008
【図７】
2006314241.tif 000009
【図８】
2006314241.tif 000010